【手続補正書】
【提出日】平成18年7月4日(2006.7.4)
【手続補正１】
【補正対象書類名】明細書
【補正対象項目名】０００７
【補正方法】変更
【補正の内容】
【０００７】
ところで、ナビゲーション装置においては、上述したように様々な機能が搭載されているが、例えば運転中であっても運転手等が簡単な操作を行うことによって機能切替が行われるようにすることにより使い勝手を向上して安全性の向上が図られるように構成する必要がある。ナビゲーション装置においては、画面に表示された地図上で直接指先やペン形状の棒部材等を現在位置から目的地までなぞることによってルートが順次スクロール表示されるようにすると極めて使い勝手がよい。また、ナビゲーション装置においては、この指先や棒部材等によるなぞり操作に合わせて現在位置から目的地までのスクロール操作が簡易にかつ素早く行われるとともに目的地において通常の縮尺で表示が行われるようにすると使い勝手がよい。
【手続補正２】
【補正対象書類名】明細書
【補正対象項目名】０００８
【補正方法】変更
【補正の内容】
【０００８】
さらに、ナビゲーション装置においては、上述した画面に表示された地図上で指先や棒部材等を移動させてスクロール操作が行われる際に、スクロール量や縮尺の変更動作が行われたことが確認可能であれば、画面を常時見続ける必要がなく使い勝手がよい。
【手続補正３】
【補正対象書類名】明細書
【補正対象項目名】００１１
【補正方法】変更
【補正の内容】
【００１１】
以上のように構成された本発明にかかるナビゲーション装置によれば、使用者が画面に表示された地図画像上を指先や棒部材等でなぞることによりタッチパネルから出力される座標変化情報に基づいて、制御処理部において地図画像のスクロール動作を指示する制御信号と縮尺率変更を指示する制御信号が生成される。ナビゲーション装置によれば、制御処理部から生成された地図画像のスクロール動作制御信号と縮尺率変更の制御信号とが画像処理部に出力されることにより、地図画像が任意の方向にかつ次第に速いスクロール動作が行われるとともに、使用者がタッチパネルから指先を離すことにより地図画像のスクロール動作が停止されるとともに初期の縮尺率で地図画像が表示される。
【手続補正４】
【補正対象書類名】明細書
【補正対象項目名】００１４
【補正方法】変更
【補正の内容】
【００１４】
以上のように構成された本発明にかかるナビゲーション装置によれば、目的地の入力操作等を不要として地図画像上を例えば指先でなぞる極めて簡易な操作によって、現在位置から目的地までのルート確認が容易に行われるようになる。ナビゲーション装置によれば、なぞり量に応じてスクロール動作中の地図画像が自動的に縮尺率が変化することで、比較的遠距離の目的地までのスクロール動作が素早く行われるようになる。ナビゲーション装置によれば、例えば目的地までのスクロール動作が行われて画面から指先を離すことによって、標準の大きさで地図画像が表示されることで、目的地の詳細情報を素早く確認することが可能となり使い勝手の大幅な向上が図られるようになる。
【手続補正５】
【補正対象書類名】明細書
【補正対象項目名】００１５
【補正方法】変更
【補正の内容】
【００１５】
また、本発明にかかるナビゲーション装置によれば、目的地の入力操作等を不要として地図画像上で指示入力を行うことによって、現在位置から目的地までのルート確認が容易に行われるようになる。ナビゲーション装置によれば、例えば指先でなぞる極めて簡易な指示入力に基づいてスクロール動作中の地図画像が自動的に縮尺率が変化することで、比較的遠距離の目的地までのスクロール動作が素早く行われるようになる。ナビゲーション装置によれば、例えば目的地までのスクロール動作が行われて画面から指先を離すことによって、標準の大きさで地図画像が表示されることで、目的地の詳細情報を素早く確認することが可能となり使い勝手の大幅な向上が図られるようになる。ナビゲーション装置によれば、地図画像のスクロール動作量や縮尺の変化が報知手段によって報知されることで、使用者がスクロール動作の状態を常時画面を見続けることなく確認することが可能となる。
【手続補正６】
【補正対象書類名】明細書
【補正対象項目名】００１７
【補正方法】変更
【補正の内容】
【００１７】
ナビゲーション装置１は、ナビゲーション機能とともに例えばオーディオ機能やラジオ放送或いはテレビ放送を受信するチューナ機能を有しており、車内に設置したスピーカ７から音声或いは音響出力を行って搭乗者が視聴することを可能とする。また、ナビゲーション装置１は、ＬＡＮ（Local Area Network）やＷＡＮ（Wide Area Network）等のネットワークと接続する機能や、ＵＳＢ（Universal Serial Bus）等の有線通信網或いはＢｌｕｅｔｏｏｔｈ（登録商標）と称される近距離無線通信網との接続機能を設けてもよい。ナビゲーション装置１は、これらの接続機能を介して例えば携帯型のパーソナルコンピュータや情報端末装置（PDA:Personal Digital Assistant）或いは既設の他の車載装置等と接続されることにより、情報等の相互授受が行われるようになる。ナビゲーション装置１は、例えばメモリーカード、光ディスクやディスクカートリッジ或いは磁気テープカセット等の各種の可搬型外部記録媒体が装填され、これら記憶媒体に記憶された情報を再生操作する機能も有している。
【手続補正７】
【補正対象書類名】明細書
【補正対象項目名】００２２
【補正方法】変更
【補正の内容】
【００２２】
記憶部９は、例えば記憶手段として大容量記憶特性を有するハードディスクを備えており、制御処理部８の動作を制御するプログラム情報や操作部５等から入力される各種情報を記憶する。記憶部９は、装置本体２に装填された記録媒体からドライブ部１１によって読み出した地図データやガイド情報等のナビゲーション情報を液晶モニタ３に表示するために一時記憶するばかりでなく、ナビゲーション情報を予め記憶しておくようにしてもよい。記憶部９は、この場合に例えばドライブ部１１を介して記録媒体から読み出したナビゲーション情報や外部配信機関等から提供されてダウンロードしたナビゲーション情報を記憶する。なお、記憶部９には、ナビゲーション情報ばかりでなく、ユーザ独自の音楽情報や映画情報等のコンテンツデータ或いはこれらのインデックスデータも記憶される。
【手続補正８】
【補正対象書類名】明細書
【補正対象項目名】００２９
【補正方法】変更
【補正の内容】
【００２９】
液晶モニタ３には、液晶パネル１５の前面にタッチパネル６が重ね合わせ状態で配置される。タッチパネル６は、周知のように所定の対向間隔を以って対向する一対の透明電極をマトリックス状に配列してなり、液晶画面３ａの任意の箇所を指先や棒状部材等で押圧操作することによって当該箇所の電極間が短絡して座標信号を出力する。タッチパネル６は、かかる相対する透明電極間の機械的接触によるスイッチ構造ばかりでなく、他のスイッチ構造であってもよい。
【手続補正９】
【補正対象書類名】明細書
【補正対象項目名】００３１
【補正方法】変更
【補正の内容】
【００３１】
液晶モニタ３は、上述したように画像情報処理部１２から出力された画像データに基づく画像を液晶画面３ａに表示する。液晶モニタ３は、タッチパネル６を配置した液晶画面３ａの領域内に位置するとともに表示される地図画像の読み取りに支障を与えない領域内に複数のアイコンを配列して表示する。各アイコンは、記憶部９に登録されたナビゲーション装置１の基本操作の実行手順をショートカット化するコマンド情報に対応しており、例えば機能モードの切換、メニュー表示、ボリューム調整等が行われるようにする。
【手続補正１０】
【補正対象書類名】明細書
【補正対象項目名】００３３
【補正方法】変更
【補正の内容】
【００３３】
以上のように構成されたナビゲーション装置１においては、電源を投入して通常の使用態様のナビゲーション機能に設定して用いると、図３に示すように液晶モニタ３の液晶画面３ａに現在地の地図画像と自車マーク１７とが表示される。ナビゲーション装置１においては、自動車の進行にしたがって自車マーク１７を固定として地図画像が進行方向に対して初期状態の縮尺率を以って順次スクロールされて表示される。また、ナビゲーション装置１においては、液晶画面３ａの周辺箇所を例えば指先で触れることによって、その方向に対して地図画像のスクロール動作が行われる。なお、ナビゲーション装置１においては、液晶画面３ａに指先を触れている間、同一の縮尺率を以って地図画像のスクロール動作が継続して行われる。
【手続補正１１】
【補正対象書類名】明細書
【補正対象項目名】００３４
【補正方法】変更
【補正の内容】
【００３４】
ナビゲーション装置１においては、図３矢印ａで示すように、ユーザが液晶画面３ａ上のポイントＰ１において指先を触れた状態からポイントＰ２まで任意の方向になぞる操作を行うことによって地図画像のスクロール動作が行われる。ナビゲーション装置１においては、ユーザによる液晶画面３ａ上でのなぞり操作に応じて、タッチパネル６からポイントＰ１からポイントＰ２に変化する一連の座標信号情報Ａが装置本体２の制御処理部８に対して出力される。ナビゲーション装置１においては、この座標信号情報Ａに基づいて制御処理部８において液晶モニタ３の液晶画面３ａに表示された現在位置情報を基準にして地図画像をスクロール動作させる方向とスクロール量とが計算される。
【手続補正１２】
【補正対象書類名】明細書
【補正対象項目名】００３６
【補正方法】変更
【補正の内容】
【００３６】
ナビゲーション装置１においては、地図画像が、例えば図３に示した縮尺１００ｍの表示から図４に示した縮尺２００ｍの表示に変更されてスクロール動作が行われるようにする。ナビゲーション装置１においては、目的とする地域の地図画像が表示されてユーザが液晶画面３ａから指先を離すと、タッチパネル６から出力されている座標信号情報Ａが停止する。ナビゲーション装置１においては、制御処理部８がこの座標信号情報Ａの停止を検出することによって、上述した画像情報処理部１２に対する制御信号の出力を停止する。